(57)【要約】【課題】機器本体に固定した１つのカメラで自分撮り撮影と相手撮り撮影ができるようにしたカメラ付き携帯端末装置を提供する。【解決手段】撮像部２を備えた上筐体４と、表示部５を備えた中筐体６と、操作部７を備えた下筐体９とを有し、上筐体４と下筐体９とが互いに一端部で開閉可能に連結され、上筐体４の開動作に伴い中筐体６が下筐体９上を移動して操作部７を外部に露出させるようにした駆動機構２５を備える。【選択図】図３
2005244791.tif 000002
【特許請求の範囲】
【請求項１】
撮像部を備えた上筐体と、表示部を備えた中筐体と、操作部を備えた下筐体とを有し、前記上筐体と前記下筐体とが互いに一端部で開閉可能に連結され、前記上筐体の開動作に伴い前記中筐体が下筐体上を移動して操作部を外部に露出させる駆動機構を備えたことを特徴とするカメラ付き携帯端末装置。
【請求項２】
前記上筐体が平面コの字状を有し、該コの字状の凹部に嵌合するように前記中筐体が設けられたことを特徴とする請求項１に記載のカメラ付き携帯端末装置。
【請求項３】
前記駆動機構が、前記上筐体に設けたカム溝と該カム溝に沿って案内される前記中筐体に設けた案内ピンとからなることを特徴とする請求項１又は２に記載のカメラ付き携帯端末装置。
【請求項４】
前記駆動機構が、前記上筐体及び前記中筐体のいずれか一方に設けられたラックと、他方に設けられ前記ラックとかみ合うピニオンとからなることを特徴とする請求項１又は２に記載のカメラ付き携帯端末装置。
【請求項５】
前記上筐体に設けたカム溝と該カム溝に沿って案内される前記中筐体に設けた案内ピンとからなる駆動装機構と、前記上筐体と前記中筐体との間に設けたラックとピニオンとからなる駆動機構の双方を具備することを特徴とする請求項１又は２に記載のカメラ付き携帯端末装置。
【請求項６】
前記中筐体を前記下筐体に沿ってスライドさせるスライド機構を備えたことを特徴とする請求項１乃至５のいずれか１つに記載のカメラ付き携帯端末装置。
【発明の詳細な説明】
【技術分野】
【０００１】
本発明は、カメラ付き携帯端末装置に関するものである。
【背景技術】
【０００２】
近年、携帯電話機やＰＤＡ（Personal Digital Assistant）等の携帯端末装置においてはカメラ機能を搭載し、当該カメラで撮影した画像を友人や知人等へメールに添付して送信することが提案されている。
【０００３】
このようなカメラ付き携帯端末装置としては、該装置を構成する筐体内に撮像部を配置すると共に、前記筐体の一方の表面に前記撮像部の撮影窓を配置したものが一般的で、撮像部に取り込まれた被写体像を携帯端末装置に備える表示部に表示させることでユーザーは表示部に表示された画像を見ながら被写体を決定し、撮影するようになっていた。
【０００４】
しかしながら、このようなカメラ付き携帯端末装置において、表示部を見ながら撮影できるのは自分撮り撮影か、又は、相手撮り撮影に限られるという課題があった。
【０００５】
そこで、自分撮り撮影及び相手撮り撮影の両方を表示部を見ながら撮影でるきようにするために、機器本体にカメラを取り付け、このカメラのレンズが、機器本体の一の方向を向く一の撮影位置と、同レンズが機器本体の二の方向を向く二の撮影位置との間を回動できるようにカメラユニットを機器本体に回動可能に備えたものがある（例えば、特許文献１参照）。
【０００６】
また、カメラ自体を回転させずに携帯電話機本体の正面側と背面側とを撮影できるように、近距離撮影用カメラモジュールと遠距離用カメラモジュールとを、携帯電話機本体の筐体内に互いに背合わせの位置関係にして固定設置したものがある（例えば、特許文献２参照）。
【特許文献１】特開２００３−００５０１７号公報
【特許文献２】特開２００３−０６０７６５号公報
【発明の開示】
【発明が解決しようとする課題】
【０００７】
ところが、特許文献１では、カメラユニットの回転機構を設ける必要があり、このために構造が複雑になるといった課題があった。また、特許文献２では、高価な撮像部を２つも使用することになるため、携帯電話機そのものが高価になってしまうという課題があった。
【０００８】
本発明は、上記課題を解決するためになしたもので、機器本体を構成する筐体に固定した１つのカメラで自分撮り撮影と相手撮り撮影ができるようにしたカメラ付き携帯端末装置を提供することを目的としてなしたものである。
【課題を解決するための手段】
【０００９】
以上の目的を達成するために、本発明のカメラ付き携帯端末装置は、撮像部を備えた上筐体と、表示部を備えた中筐体と、操作部を備えた下筐体とを有し、前記上筐体と前記下筐体とが互いに一端部で開閉可能に連結され、前記上筐体の開動作に伴い前記中筐体が下筐体上を移動して操作部を外部に露出させる駆動機構を備えたことを特徴とする。
【００１０】
また、前記上筐体が平面コの字状を有し、該コの字状の凹部に嵌合するように前記中筐体が設けられることは好ましい。
【００１１】
また、前記駆動機構が、前記上筐体に設けたカム溝と該カム溝に沿って案内される前記中筐体に設けた案内ピンとからなることは好ましい。
【００１２】
また、前記駆動機構が、前記上筐体及び前記中筐体のいずれか一方に設けられたラックと、他方に設けられ前記ラックとかみ合うピニオンとからなることは好ましい。
【００１３】
また、前記上筐体に設けたカム溝と該カム溝に沿って案内される前記中筐体に設けた案内ピンとからなる駆動装機構と、前記上筐体と前記中筐体との間に設けたラックとピニオンとからなる駆動機構の双方を具備することは好ましい。
【００１４】
また、前記中筐体を前記下筐体に沿ってスライドさせるスライド機構を備えることは好ましい。
【発明の効果】
【００１５】
本発明のカメラ付き携帯端末装置によれば、機器本体を構成する筐体に固定した１つの撮像部で表示部を見ながらの自分撮り撮影と相手撮り撮影の両方を行うことができるので、操作性がよく、しかも構造が比較的簡単で安価に製造できるという優れた効果を奏し得る。
【発明を実施するための最良の形態】
【００１６】
以下、本発明の実施の形態を添付図面を参照して説明する。
【００１７】
図１〜図３は本発明を適用したカメラ付き携帯端末装置の一例であるカメラ付き携帯電話機の形態の概略を示したもので、この携帯電話機１は、撮像部２（カメラ）及び受話スピーカーの放音孔３を有し且つ図３に示すように平面形状が略コの字状を有する上筐体４と、液晶表示装置や有機ＥＬ表示装置等の表示部５を有し且つ前記上筐体４のコの字状の凹部に嵌合される形状を有する中筐体６と、操作キー等の操作部７及びマイク８を有する下筐体９とから主に構成されている。
【００１８】
前記略コの字状を有する上筐体４の両側より延びる脚部４ａの端部と下筐体９の一端とは、不図示の軸により連結され軸線１０を中心に開閉可能となっており、更に、前記上筐体４の略コの字状の凹部１１に中筐体６が嵌合するように配置されている。
【００１９】
そして、前記携帯電話機１は図１に示す状態を閉状態とし、この状態において上筐体４の外面側には撮像部２の撮影窓２ａを有すると共に、中筐体６の外面側には表示部５を備え、当該表示部５は閉状態において外側から視認することができるようになっている。その為、本発明の携帯電話機１は、その長さを短くすることができるために携行し易く、また、閉状態でも表示部５の表示面５ａが外側から視認できるため、表示部５に表示させた状態を閉状態のまま確認することができる。また、この閉状態においてカメラモードを起動させることができるようになっており、カメラモードを起動させると、前記撮像部２に取り込まれる画像を表示部５に表示させることができるようになっており、これにより閉状態でもカメラ撮影ができるようになっている。なお、携帯電話機１に備える各種機能のモード選択やカメラモード時の撮影にあたっては下筐体９の側面に設けられた補助キー７ａにより操作することができるようになっている。
【００２０】
また、上筐体４の開動作を行うと、この上筐体４の動きに連動して中筐体６が下筐体９の操作部７を有する面に沿ってスライドし、操作部７を外側に露出させるようになっている。
【００２１】
図３は中筐体６の駆動機構２５を示しており、この駆動機構２５は、前記上筐体４の脚部４ａに沿って形成したカム溝１３と、該カム溝１３に係合するように中筐体６の側面より突設した案内ピン１４により構成している。前記カム溝１３は、上筐体４の脚部４ａのうち、その端部に形成され、不図示の軸が挿入されるボス部４ｂ近傍から、上筐体４の長手方向中間位置まで延びる長さを有している。なお、前記カム溝１３は、上筐体４の脚部４ａを貫通した形状としてもよく、また、貫通することなく脚部４ａの内側面側（中筐体６側）に所要の深さで形成するようにしてもよい。
【００２２】
更に、前記上筐体４を閉じた状態から開動作を開始する時における中筐体６のスライドをスムースに行わせるために、前記カム溝１３のうち、脚部４ａの中間に位置する部位には上筐体４の外面側に湾曲した湾曲部１５を形成している。
【００２３】
また、図３及び図４に示すように、中筐体６は、上筐体４の凹部１１に嵌合するように矩形板状を有し、下筐体９と対向する面には、その長手方向に沿って延びる２つの案内溝１８が平行に形成してある。一方、下筐体９の中筐体６との対向面のうち連結部側には２本の脚部１７ａを一組とする一対の突起部を有し、中筐体６を下筐体９上に配置した際に２本の脚部１７ａが中筐体６の案内溝１８内にそれぞれ挿入されるようになっている。そして、２本の脚部１７ａの頂部にはストッパ片１７ｂをビス等にて固定してあり、当該ストッパ片１７ｂは、その幅Ａを案内溝１８の幅Ｂよりも大きくし、中筐体６が脚部１７ａの突出方向へ移動することを防止するようにしてある。その為、中筐体６は下筐体９の操作部７を有する面に沿ってスライドさせることができるようになっている。即ち、中筐体６に備える案内溝１８と、下筐体９に備える脚部１７ａ、及び脚部１７ａの頂部に固定されるストッパ片１７ｂによってスライド機構２６を構成するようになっている。
【００２４】
したがって、携帯電話機１を図１に示す状態から上筐体の開動作を行うと、中筐体６が駆動機構２５によって導かれ、且つスライド機構２６によって中筐体６を下筐体９の操作部７を有する面に沿ってスライドさせることができ、図２に示すような開いた状態とすることができるようになっている。
【００２５】
そして、図２及び図３に示すように、上筐体４の内面にはスピーカーの放音孔３を備えると共に、下筐体９の操作部７を有する面のうち連結部と反対側の先端部にマイクロフォンの集音孔８を備え、開状態とすることにより通話することができるようになっている。
【００２６】
次に、上記した形態の作動を説明する。
【００２７】
図１、図５は携帯電話機１の上筐体４と下筐体９を折り畳んだ状態を示しており、この状態では略コの字状を有する上筐体４の凹部１１に中筐体６が嵌合配置されており、中筐体６の外面側に表示部５が、上筐体４の外面側に撮像部２がそれぞれ配置されている。
【００２８】
上記携帯電話機１で自分撮り撮影を行うには、図１、図５に示すように携帯電話機１を折り畳んだ状態で、補助キー７ａを操作してカメラモードを起動し、撮影者は撮像部２であるカメラを自分に向けるようにして保持し、撮像部２に取り込まれて表示部５に表示された画像を見ながら被写状態を決定し、次いで補助キー７ａを押下することで撮影を行う。
【００２９】
一方、上記携帯電話機１で相手撮り撮影を行うには、図２、図７に示すように携帯電話機１の上筐体４を下筐体９に対して軸線１０を中心に開動作させる。
【００３０】
この時、図６に示すように上筐体４の開動作を開始すると、中筐体６の案内ピン１４が係合しているカム溝１３によって、中筐体６は下筐体９の操作部７を覆った位置から上筐体４の略コの字状の凹部１１を通って矢印Ａ方向に押し出されるようにスライドする。更に、図７のように上筐体４を全開にした状態では、前記中筐体６の一部が再び上筐体４の略コの字状の凹部１１に嵌合した状態になる。
【００３１】
そして、前記カム溝１３の始動位置には湾曲部１５を形成してあるため、上筐体４の開動作開始時における中筐体６のスライドをスムースに行わせることができる。
【００３２】
更に、前記中筐体６と下筐体９との間には、案内溝１８と、該案内溝１８に挿入される脚部１７ａと、ストッパ片１７ｂとからなるスライド機構２６を設けているので、前記中筐体６は、浮き上がり等を生じることなく安定した状態でスライドさせることができる。
【００３３】
そして、図２、図７に示すように上筐体４を開動作した携帯電話機１で相手撮り撮影を行うには、操作部７の操作によって各種機能モードのうちカメラモードを起動し、撮影者は前記撮像部２であるカメラが相手に向かうように携帯電話機１を保持し、撮像部２から取り込まれて表示部５に表示された画像を見ながら被写状態を決定し、シャッターキーとして割り当てられた操作部７のキーを押下することで撮影を行う。この時、前記上筐体４の開動作時に中筐体６は反転することなくスライドするのみであるため、撮影者は自分撮り撮影の時と同じ表示部５を見ながら撮影することができる。
【００３４】
次に、図８、図９は前記図１〜図４に示した形態の変形例を示したものであり、この携帯電話機１’は、基本的な構成は前記図１〜図４に示したものと同様であるが、前記上筐体４の脚部４ａに備えるカム溝１３の形状が異なっている。即ち、上筐体４の開動作開始時における中筐体６のスライドをスムースに行わせるために前記カム溝１３に大きな湾曲部１５ａを形成するようにしており、このために前記脚部４ａの折り畳み内側に張り出し部１９を形成しており、一方、前記下筐体９には折り畳み時に前記張り出し部１９が嵌合する凹み部２０を形成している。
【００３５】
そして、この携帯電話機１’では図１〜図４と同様の作用を有する上に、カム溝１３に大きな湾曲部１５ａが形成してあることによって、上筐体４の開動作開始時における中筐体６のスライドをスムースに行わせることができる。
【００３６】
次に、図１０は前記図１、図２のカメラ付き携帯電話機１に備えた駆動機構２５とは異なる他の駆動機構２７の例を示しており、図１０の駆動機構２７は、上筐体４の一方の脚部４ａにおけるボス部４ｂにピニオン２２を一体に取り付けている。一方、前記中筐体６の下面における前記ピニオン２２に対応する位置には、前記ピニオン２２に噛合可能なラック２３を中筐体６の長手方向に沿って刻設している。尚、駆動機構２７以外は図１〜図４と同様の構成を有している。
【００３７】
上記ラック・ピニオン２２，２３による駆動機構２７では、図１１に示すように携帯電話機１を折り畳んだ状態から図１２に示すように上筐体４の開動作を開始すると、上筐体４と一体のピニオン２２が回転し、このピニオン２２の回転によりピニオン２２に噛合しているラック２３によって中筐体６は下筐体９の操作部７を覆った位置から上筐体４の略コの字状の凹部１１を通って矢印Ａ方向に押し出される。更に、図１３のように上筐体４を全開にした状態では、前記中筐体６の一部が再び上筐体４の略コの字状の凹部１１に嵌合した状態になる。
【００３８】
この時、前記中筐体６と下筐体９との間にはスライド機構２６を設けているので、前記中筐体６は浮き上がり等を生じることなく安定した状態でスライドすることができる。
【００３９】
そして、上記携帯電話機１で自分撮り撮影を行うには、図１及び図１１に示すように携帯電話機１を折り畳んだ状態で撮影し、また、相手撮り撮影を行う時は図２、図１３に示すように上筐体４を全開にした状態で撮影することは図１〜図４の場合と同様である。
【００４０】
図１４は、前記図８、図９に示した携帯電話機１の構成において、図３に示したカム溝１３及び案内ピン１４による駆動機構２５と、前記図１０に示したラック・ピニオン２２，２３による駆動機構２７の両者を同時に備えるようにした形態における上筐体４と中筐体６との関係を表わす背面図であり、この構成によれば、下筐体９に対して中筐体６を更に安定して確実にスライドさせることができるようになる。
【００４１】
なお、本発明のカメラ付き携帯端末装置は、上記した形態に限定されるものではなく、携帯電話機以外の折り畳み式の種々のカメラ付き携帯端末装置にも適用できること、その他本発明の要旨を逸脱しない範囲内において種々変更を加え得ること、等は勿論である。
【図面の簡単な説明】
【００４２】
【図１】本発明を適用したカメラ付き携帯電話機の一例の折り畳んだ状態の外観を示す斜視図である。
【図２】図１のカメラ付き携帯電話機の上筐体を全開にした状態を示す斜視図である。
【図３】第１のスライドガイドを備えたカメラ付き携帯電話機の構成説明図である。
【図４】中筐体と下筐体との間に設けたスライドガイドを説明するためのカメラ付き携帯電話機の正面図である。
【図５】図３のカメラ付き携帯電話機を折り畳んだ状態を示す側面図である。
【図６】図３のカメラ付き携帯電話機の上筐体の開動作を開始した状態を示す側面図である。
【図７】図３のカメラ付き携帯電話機の上筐体を全開にした状態を示す側面図である。
【図８】図２のカメラ付き携帯電話機の変形例を示す折り畳んだ状態の斜視図である。
【図９】図８のカメラ付き携帯電話機を全開にした状態の斜視図である。
【図１０】第２のスライドガイドを備えたカメラ付き携帯電話機の構成説明図である。
【図１１】図１０のカメラ付き携帯電話機を折り畳んだ状態を示す側面図である。
【図１２】図１０のカメラ付き携帯電話機の上筐体の開動作を開始した状態を示す側面図である。
【図１３】図１０のカメラ付き携帯電話機の上筐体を全開にした状態を示す側面図である。
【図１４】第２のスライドガイドと第３のスライドガイドを備えたカメラ付き携帯電話機の上筐体と中筐体との関係を表わす背面図である。
【符号の説明】
【００４３】
１，１’  カメラ付き携帯電話機（カメラ付き携帯端末装置）
２  撮像部
４  上筐体
５  表示部
６  中筐体
７  操作部
９  下筐体
１１  凹部
１２  駆動機構
１３  カム溝
１４  案内ピン
１７ａ  脚部
１７ｂ  ストッパ片
１８  案内溝
１９  張り出し部
２０  凹み部
２２  ピニオン
２３  ラック
２５  駆動機構
２６  スライド機構
２７  駆動機構
【図１】
2005244791.tif 000003
【図２】
2005244791.tif 000004
【図３】
2005244791.tif 000005
【図４】
2005244791.tif 000006
【図５】
2005244791.tif 000007
【図６】
2005244791.tif 000008
【図７】
2005244791.tif 000009
【図８】
2005244791.tif 000010
【図９】
2005244791.tif 000011
【図１０】
2005244791.tif 000012
【図１１】
2005244791.tif 000013
【図１２】
2005244791.tif 000014
【図１３】
2005244791.tif 000015
【図１４】
2005244791.tif 000016